【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
物体側より像側へ順に、負の屈折力の第１レンズ群、正の屈折力の第２レンズ群、正の屈折力の第３レンズ群より構成され、各レンズ群の間隔を変化させてズーミングを行うズームレンズにおいて、第２レンズ群は、正レンズと負レンズからなる第２ａレンズ群と、第２ａレンズ群の像側に配置され、正レンズと負レンズからなる第２ｂレンズ群より構成され、該第２ａレンズ群の正レンズと負レンズの材料のアッベ数を各々ν１ｐ、ν１ｎ、該第２ｂレンズ群の正レンズと負レンズの材料のアッベ数を各々ν２ｐ、ν２ｎとするとき、
ν１ｎ＜２９
ν２ｎ＜３０
１８＜ν１ｐ−ν１ｎ＜３５
２６＜ν２ｐ−ν２ｎ＜３５
なる条件式を満足することを特徴とするズームレンズ。
【請求項２】
前記第１レンズ群の焦点距離をｆ１、広角端における全系の焦点距離をｆｗとするとき、
１．５＜｜ｆ１／ｆｗ｜＜２．５
なる条件式を満足することを特徴とする請求項１のズームレンズ。
【請求項３】
前記第２レンズ群の焦点距離をｆ２、広角端における全系の焦点距離をｆｗとするとき、
１．５＜ｆ２／ｆｗ＜２．５
なる条件式を満足することを特徴とする請求項１又は２のズームレンズ。
【請求項４】
前記第３レンズ群の焦点距離をｆ３、広角端と望遠端における全系の焦点距離を各々ｆｗ、ｆＴとするとき、
【数１】
2008070519.tif 000001
なる条件式を満足することを特徴とする請求項１、２又は３のズームレンズ。
【請求項５】
広角端から望遠端への変倍に際して前記第２レンズ群が光軸方向に沿って像側に移動する移動量をｍ２、広角端における全系の焦点距離をｆｗとするとき
−４．０＜ｍ２／ｆｗ＜−２．５
なる条件式を満足することを特徴とする請求項１〜４のいずれか１項のズームレンズ。
【請求項６】
前記第２ａレンズ群は、物体側より像側へ順に、正レンズと負レンズが配置されており、該正レンズの物体側の面の曲率半径をｒ１ａ、像側の面の曲率半径をｒ２ａとするとき、
−１５＜（ｒ１ａ＋ｒ２ａ）／（ｒ１ａ−ｒ２ａ）＜０
なる条件式を満足することを特徴とする請求項１〜５のいずれか１項のズームレンズ。
【請求項７】
前記第２ｂレンズ群は、物体側から像側へ順に、負レンズと正レンズが配置されており、該正レンズの物体側の面の曲率半径をｒ１ｂ、像側の面の曲率半径をｒ２ｂとするとき、
−１≦（ｒ１ｂ＋ｒ２ｂ）／（ｒ１ｂ−ｒ２ｂ）≦０
なる条件式を満足することを特徴とする請求項１〜６のいずれか１項のズームレンズ。
【請求項８】
前記第３レンズ群の広角端での位置敏感度をＡＷ、望遠端での位置敏感度をＡＴ、第３レンズ群の広角端での横倍率をβ３ｗ、第３レンズ群の望遠端での横倍率をβ３Ｔとしたとき、
ＡＷ＝１−β３ｗ2 
ＡＴ＝１−β３Ｔ2
０．３＜ＡＷ＜０．５
０．２＜ＡＴ＜０．４
なる条件を満足することを特徴とする請求項１〜７のいずれか１項のズームレンズ。
【請求項９】
前記第２レンズ群の広角端と望遠端における偏芯敏感度を各々ＢＷ、ＢＴ、前記第２レンズ群の広角端と望遠端における横倍率をβ２ｗ、β２Ｔ、前記第３レンズ群の広角端と望遠端における横倍率をβ３ｗ、β３Ｔとしたとき、
ＢＷ＝（１−β２ｗ）×β３ｗ
ＢＴ＝（１−β２Ｔ）×β３Ｔ
０．５＜ＢＷ＜２．５
２．０＜ＢＴ＜３．０
なる条件式を満足することを特徴とする請求項１〜８のいずれか１項のズームレンズ。
【請求項１０】
広角端から望遠端へのズーミングに際して、前記第１レンズ群は像側に凸状の軌跡で移動し、前記第２レンズ群は物体側に単調に移動し、前記第３レンズ群は像側に移動することを特徴とする請求項１〜９のいずれか１項のズームレンズ。
【請求項１１】
前記第１レンズ群の少なくとも１つの負レンズは、物体側と像側の面が非球面形状であることを特徴とする請求項１〜１０のいずれか１項のズームレンズ。
【請求項１２】
前記第３レンズ群は物体側に移動して無限遠物体から近距離物体へのフォーカシングを行うことを特徴とする請求項１〜１１のいずれか１項のズームレンズ。
【請求項１３】
請求項１〜１２のいずれか１項のズームレンズと、該ズームレンズによって形成された像を受光する固体撮像素子とを有していることを特徴とする撮像装置。
【手続補正２】
【補正対象書類名】明細書
【補正対象項目名】００１５
【補正方法】変更
【補正の内容】
【００１５】
本発明のズームレンズは、物体側より像側へ順に、負の屈折力の第１レンズ群、正の屈折力の第２レンズ群、正の屈折力の第３レンズ群より構成され、各レンズ群の間隔を変化させてズーミングを行うズームレンズにおいて、第２レンズ群は、正レンズと負レンズからなる第２ａレンズ群と、第２ａレンズ群の像側に配置され、正レンズと負レンズからなる第２ｂレンズ群より構成され、該第２ａレンズ群の正レンズと負レンズの材料のアッベ数を各々ν１ｐ、ν１ｎ、該第２ｂレンズ群の正レンズと負レンズの材料のアッベ数を各々ν２ｐ、ν２ｎとするとき、
ν１ｎ＜３０  ‥‥‥（１）
ν２ｎ＜３０  ‥‥‥（２）
１８＜ν１ｐ−ν１ｎ＜３５  ‥‥‥（３）
２６＜ν２ｐ−ν２ｎ＜３５  ‥‥‥（４）
なる条件式を満足することを特徴としている。
【手続補正３】
【補正対象書類名】明細書
【補正対象項目名】００２６
【補正方法】変更
【補正の内容】
【００２６】
収差図において、ｄ、ｇは各々ｄ線及びｇ線、ＦｎｏはＦナンバー、ΔＭ、ΔＳはメリディオナル像面、サジタル像面、倍率色収差はｇ線によって表している。ωは半画角である。
【手続補正４】
【補正対象書類名】明細書
【補正対象項目名】００５０
【補正方法】変更
【補正の内容】
【００５０】
また、第１レンズ群Ｌ１の少なくとも１つの負レンズである負の第１１レンズＧ１１の物体側のレンズ面をレンズ周辺で正の屈折力が強くなる非球面形状とし、像側のレンズ面をレンズ周辺で負の屈折力が弱くなる非球面形状としている。これにより、非点収差と歪曲収差のバランス良く補正すると共に、２枚と言う少ないレンズ枚数で第１レンズ群Ｌ１を構成し、レンズ全体のコンパクト化に寄与している。
【手続補正５】
【補正対象書類名】明細書
【補正対象項目名】００７８
【補正方法】変更
【補正の内容】
【００７８】
第２ａレンズ群は、物体側より像側へ順に、正レンズと負レンズの順で配置されているとき、該正レンズの物体側の面の曲率半径をｒ１ａ、像側の面の曲率半径をｒ２ａとする。
【手続補正６】
【補正対象書類名】明細書
【補正対象項目名】００７９
【補正方法】変更
【補正の内容】
【００７９】
第２ｂレンズ群Ｌ２ｂが、物体側から像側へ順に、負レンズと正レンズの順に配置されているとき、該正レンズの物体側の面の曲率半径をｒ１ｂ、像側の面の曲率半径をｒ２ｂとする。
【手続補正７】
【補正対象書類名】明細書
【補正対象項目名】００８５
【補正方法】変更
【補正の内容】
【００８５】
【数１】
2008070519.tif 000002
【手続補正８】
【補正対象書類名】明細書
【補正対象項目名】００８６
【補正方法】変更
【補正の内容】
【００８６】
−４．０＜ｍ２／ｆｗ＜−２．５  ‥‥‥（８）
−１５＜（ｒ１ａ＋ｒ２ａ）／（ｒ１ａ−ｒ２ａ）＜０  ‥‥‥（９）
−１≦（ｒ１ｂ＋ｒ２ｂ）／（ｒ１ｂ−ｒ２ｂ）≦０  ‥‥‥（１０）
０．３＜ＡＷ＜０．５  ‥‥‥（１１）
０．２＜ＡＴ＜０．５  ‥‥‥（１２）
０．５＜ＢＷ＜２．５  ‥‥‥（１３）
２．０＜ＢＴ＜３．０  ‥‥‥（１４）
なる条件のうち１以上を満足している。
【手続補正９】
【補正対象書類名】明細書
【補正対象項目名】０１０７
【補正方法】変更
【補正の内容】
【０１０７】
【数２】
2008070519.tif 000003
【手続補正１０】
【補正対象書類名】明細書
【補正対象項目名】０１０８
【補正方法】変更
【補正の内容】
【０１０８】
−３．５＜ｍ２／ｆｗ＜−２．８  ‥‥‥（８ａ）
−１４．０＜（ｒ１ａ＋ｒ２ａ）／（ｒ１ａ−ｒ２ａ）＜−３．０‥‥‥（９ａ）
−０．８≦（ｒ１ｂ＋ｒ２ｂ）／（ｒ１ｂ−ｒ２ｂ）≦−０．３‥‥‥（１０ａ）
０．３５＜ＡＷ＜０．４５  ‥‥‥（１１ａ）
０．３１＜ＡＴ＜０．４０  ‥‥‥（１２ａ）
１．０＜ＢＷ＜２．０  ‥‥‥（１３ａ）
２．２＜ＢＴ＜２．８  ‥‥‥（１４ａ）
これら条件式（１ａ）〜（１４ａ）までの上限値及び下限値は、前述の条件式（１）〜（１４）と任意に組み合わせて用いても構わない。
【手続補正１１】
【補正対象書類名】明細書
【補正対象項目名】０１１４
【補正方法】変更
【補正の内容】
【０１１４】
数値実施例１〜３においてＤ５の値が負となっているが、これが物体側から順に、Ｆナンバー決定部材、第２レンズ群Ｌ２の第２１レンズＧ２１と数えた為である。具体的な構成としては図１、図５、図９に示すように、Ｆナンバー決定部材（開口絞り）ＳＰが第２レンズ群Ｌ２の物体側の第２１レンズＧ２１のレンズ面（Ｓ６）の物体側頂点Ｇ２１ａよりも絶対値Ｄ５だけ像側に位置していることを示している。